(57)【特許請求の範囲】
【請求項１】
扉を有する冷蔵庫本体と、
前記扉の開閉を検知する扉開閉検知手段と、
前記本体内部の庫内を照明する庫内灯と、
この庫内灯の点灯、点滅、消灯等を行う庫内灯駆動回路と、
前記本体に設けられ、前記扉を閉め忘れていることを警告するために警告音を発する警告音発生手段と、
前記扉を閉め忘れた場合に、前記警告音発生手段により警告音を発すると共に、前記庫内灯駆動回路により前記庫内灯を点滅させる制御手段とを備え、前記制御手段は、前記扉開閉検知手段が扉が開いたことを検知した直後の一定時間経過後は前記警告音発生手段のみで警告し、さらに一定時間経過してからは、前記警告音発生手段による警告に加えて前記庫内灯駆動回路により庫内灯点滅による警告も開始することを特徴とする冷蔵庫。
【請求項２】
前記制御手段は、前記扉を閉め忘れた場合の前記警告音発生手段と前記庫内灯点滅とによる警告が長時間にわたる場合、前記庫内灯を消灯する時間を設けたことを特徴とする請求項１記載の冷蔵庫。
【請求項３】
前記制御手段は、一日の時間帯を判定する時間帯判定手段を備え、前記冷蔵庫本体の周囲が暗い時間帯に扉閉め忘れがおきれば、前記警告音発生手段と前記庫内灯点滅とで警告し、周囲が明るい時間帯に扉閉め忘れがおきれば、前記庫内灯を消灯することを特徴とする請求項１記載の冷蔵庫。
【請求項４】
前記時間帯判定手段は、マイコンにより前記扉の開閉回数と時間とをカウントし時間帯を判定することを特徴とする請求項３記載の冷蔵庫。
【請求項５】
前記時間帯判定手段は、光センサ等の素子を用いて時間帯を判定することを特徴とする請求項３記載の冷蔵庫。
【請求項６】
扉を有する冷蔵庫本体と、
前記本体内部の庫内を照明する庫内灯と、
前記扉により閉塞される前記本体開口部周囲に設けられ、前記扉が半開きの場合に、前記庫内灯の光を外に出して使用者に警告するための反射板と、
を備えたことを特徴とする冷蔵庫。
【請求項７】
前記扉により閉塞される前記本体開口部周囲に、前記扉が半開きの場合に、前記庫内灯の光を外に出して使用者に警告するための反射板を備えたことを特徴とする請求項１〜３の何れかに記載の冷蔵庫。
【請求項８】
扉を有する冷蔵庫本体と、
前記本体内部の庫内を照明する庫内灯と、
前記扉により閉塞される前記本体開口部周囲全体に設けられ、前記庫内灯の光を外に出して使用者に警告するための反射板と、
前記扉が閉まってから所定時間前記庫内灯を点灯し、その後消灯させ、前記扉と前記冷蔵庫本体との隙間を検知するための制御手段と、
を備えたことを特徴とする冷蔵庫。
【請求項９】
前記扉開口部周囲全体に設けられ、前記庫内灯の光を外に出して使用者に警告するための反射板と、
前記扉が閉まってから所定時間前記庫内灯を点灯し、その後消灯させ、前記扉と前記冷蔵庫本体との隙間を検知するための別の制御手段と、
備えたことを特徴とする請求項１〜３の何れかに記載の冷蔵庫。
【発明の詳細な説明】
【０００１】
【発明の属する技術分野】
この発明は、電子制御方式の冷蔵庫に係り、特に扉の閉め忘れをより積極的に使用者に警告する手段、不要な電力消費を防ぐ手段に関するものである。
【０００２】
【従来の技術】
従来の冷蔵庫における扉閉め忘れの警告法について、図９〜１１を用いて説明をする。図９は従来の冷蔵庫の外形図であり、図において、３９は冷蔵室の扉、４０は冷凍室（上）の扉、４１は冷凍室（下）の扉、４２、４３、４４はそれぞれ冷蔵室、冷凍室（上）、冷凍室（下）の扉開閉を検知するドアスイッチ（以後ドアＳＷ）である。
【０００３】
図１０は従来の冷蔵庫の庫内灯周辺を制御する回路のブロック図である。図において、４５は冷蔵庫全体を制御するマイクロコンピュータ（以後マイコン）、４６は庫内灯をＯＮ／ＯＦＦさせる回路、４７は冷蔵庫の扉が開いている時に庫内を照らす庫内灯、４８は例えばブザーなど警告音を発生する機器（以後ブザー）である。ブザー４８は、図９に示すのヒンジカバー４９の中に取り付けられる。
【０００４】
冷蔵庫の扉を閉め忘れ、庫内灯４７が長時間点灯しいると、庫内灯４７の発熱や庫外からの熱侵入により冷蔵庫内の温度が上昇したり、不要な電力を消費するという問題が生じる。この問題を防ぐために、従来の冷蔵庫では、図１０に示すような制御回路を設け、扉の閉め忘れを使用者に警告していた。
【０００５】
図１０の動作を簡単に説明する。冷蔵室の扉３９、冷凍室（上）の扉４０、冷凍室（下）の扉４１のいずれかが開いてドアＳＷ４２、４３、４４が開くと、マイコン４５に扉が開いているという信号が入る。すると、庫内灯駆動回路４６に庫内灯４７点灯の命令がでて庫内灯４７が点灯する。庫内灯４７が点灯している時間をマイコン４５でカウントし、一定時間が経過すると扉閉め忘れと判断し、ブザー４８を鳴らして警告する。
【０００６】
図１１が上記の制御の流れを示すフローチャートである。
ステップＳ１１０で扉が開くと、マイコン４５で時間のカウントを開始する。扉が開いてから１分経過毎に、ステップＳ１１１でブザー４８を「ピーッ、ピーッ」と２回鳴らして警告する。さらに、通算で５分経過しても扉が開いている場合、ステップＳ１１２でブザー４８を「ピーッ、ピーッ、・・・」と連続して鳴らして警告し、扉が閉まるまで警告する（ステップＳ１１３）。
【０００７】
【発明が解決しようとする課題】
従来の冷蔵庫は以上のように構成されているので、扉閉め忘れにより庫内灯４７が長時間点灯していると、庫内灯４７の発熱や庫外からの熱侵入による冷蔵庫内の温度上昇、庫内灯４７での不要な電力消費等の問題が生じる。従来の冷蔵庫では、扉閉め忘れをブザー４８によって警告することでこれらの問題を解決していた。しかし、近年では、携帯電話などの普及に伴い、電子音が飛び交う環境が増え、どこでどの音がなっているかの判断がつきにくくなっていることなども影響して、扉閉め忘れの警告音に気付かないことも多くなってきている。また、夜中などで、使用者が寝静まっている時には、ブザー音だけでは気付かないことも多々ある。さらに、扉が開いている間、つきっぱなしの庫内灯４７による無駄な電力消費も問題である。
【０００８】
この発明は、かかる問題点を解決するためになされたもので、扉の閉め忘れをより積極的に使用者に警告する手段、不要な電力消費を防ぐ手段を備えた冷蔵庫を提供することを目的とする。
【０００９】
【課題を解決するための手段】
この発明に係る冷蔵庫は、扉を有する冷蔵庫本体と、扉の開閉を検知する扉開閉検知手段と、本体内部の庫内を照明する庫内灯と、この庫内灯の点灯、点滅、消灯等を行う庫内灯駆動回路と、本体に設けられ、扉を閉め忘れていることを警告するために警告音を発する警告音発生手段と、扉を閉め忘れた場合に、警告音発生手段により警告音を発すると共に、庫内灯駆動回路により庫内灯を点滅させる制御手段とを備え、制御手段は、扉開閉検知手段が扉が開いたことを検知した直後の一定時間経過後は警告音発生手段のみで警告し、さらに一定時間経過してからは、警告音発生手段による警告に加えて庫内灯駆動回路により庫内灯点滅による警告も開始することを特徴とする。
【００１１】
また、制御手段は、扉を閉め忘れた場合の警告音発生手段と庫内灯点滅とによる警告が長時間にわたる場合、庫内灯を消灯する時間を設けたものである。
【００１２】
また、制御手段は、一日の時間帯を判定する時間帯判定手段を備え、冷蔵庫本体の周囲が暗い時間帯に扉閉め忘れがおきれば、警告音発生手段と庫内灯点滅とで警告し、周囲が明るい時間帯に扉閉め忘れがおきれば、庫内灯を消灯するものである。
【００１３】
また、時間帯判定手段は、マイコンにより扉の開閉回数と時間とをカウントし時間帯を判定するものである。
【００１４】
また、時間帯判定手段は、光センサ等の素子を用いて時間帯を判定するものである。
【００１５】
また、扉を有する冷蔵庫本体と、本体内部の庫内を照明する庫内灯と、扉により閉塞される本体開口部周囲に設けられ、扉が半開きの場合に、庫内灯の光を外に出して使用者に警告するための反射板とを備えたものである。
【００１６】
また、請求項１〜３の何れかに記載の冷蔵庫において、扉により閉塞される本体開口部周囲に、扉が半開きの場合に、庫内灯の光を外に出して使用者に警告するための反射板を備えたものである。
【００１７】
また、扉を有する冷蔵庫本体と、本体内部の庫内を照明する庫内灯と、扉により閉塞される本体開口部周囲全体に設けられ、庫内灯の光を外に出して使用者に警告するための反射板と、扉が閉まってから所定時間前記庫内灯を点灯し、その後消灯させ、扉と冷蔵庫本体との隙間を検知するための制御手段とを備えたものである。
【００１８】
また、請求項１〜３の何れかに記載の冷蔵庫において、扉により閉塞される本体開口部周囲全体に設けられ、庫内灯の光を外に出して使用者に警告するための反射板と、扉が閉まってから所定時間前記庫内灯を点灯し、その後消灯させ、扉と冷蔵庫本体との隙間を検知するための別の制御手段とを備えたものである。
【００１９】
【発明の実施の形態】
実施の形態１．
以下、この発明の実施の形態１を図面を参照して説明する。
図１はこの発明の実施の形態１における冷蔵庫の外形を示す図である。図において、１は冷蔵室の扉、２は冷凍室（上）の扉、３は冷蔵室の扉１の開閉を検知する扉開閉検知手段である冷蔵室ドアＳＷ、４は冷凍室（上）の扉２の開閉を検知する扉開閉検知手段である冷凍室（上）ドアＳＷである。
図２は実施の形態１における冷蔵庫の庫内灯周辺を制御する回路のブロック図である。図において、５は冷蔵庫全体を制御する制御手段を構成するマイコン、６は庫内を照らす庫内灯７をＯＮ／ＯＦＦさせる回路、８は警告音を発生する警告音発生手段であるブザーで、ブザー８は図１のヒンジカバー９の中に取り付けられる。
【００２０】
実施の形態１における制御動作を図３のフローチャートで説明する。
ステップＳ３０で冷蔵室の扉１又は冷凍室（上）の扉２が開いてから一定時間（例えば３分）経過したら、ステップＳ３１でブザー８を「ピィーッ、ピィーッ」と２回鳴らして警告する。
さらに一定時間（例えば５分）経過しても扉が開いている場合、ステップＳ３２で扉閉め忘れであると判定して、ブザー８を「ピィーッ、ピィーッ、・・・」と連続して鳴らしながら、庫内灯７を点滅させることによって警告する。この警告は扉が閉まるまで継続し（ステップＳ３３）、またこれら一連の制御は扉が閉まった時点で中止する。
【００２１】
上述の実施の形態で、扉が開いてから３分経過してからブザー８による警告を始めるのは、冷蔵庫の使用者がたくさん食品を買って来て、冷蔵庫に詰め込む時間が長い場合には３分間位要することも予想でき、この場合は扉閉め忘れではないからであるのと、３分以上経過しても冷蔵庫の扉が開いている場合、庫内の温度上昇が進み、食品の腐敗などが懸念されるため、扉閉め忘れでない場合でも、食品が心配なのでそろそろ扉を閉めたほうがいいですよ、というアドバイスの意味もふくめての時間設定である。
【００２２】
また、扉が開いてから８分間はブザーのみで警告し、庫内灯の点滅による警告を行わないのは、先述のように閉め忘れではなく扉を開放している場合を考慮すると、早いタイミングでの庫内灯の点滅は使用者にとって大変不快なものになるからであり。ここで、例えば８分と設定した理由は、扉が開いてから８分も経過すれば、閉め忘れの可能性が高くなることと、閉め忘れでは無い場合でも、庫内の温度が十分に上昇し、食品への影響が懸念されるとの考えからである。
【００２３】
上述の実施の形態によれば、冷蔵庫の使用者は、扉を閉め忘れたことを目と耳の両方から知ることができるので、冷蔵庫の周辺が騒がしくブザー８の音が聞こえない可能性があるときでも、目で庫内灯７の点滅を検知することができるから、従来のブザー８のみの警告に比べて、扉の閉め忘れを知る機会が大幅に増えるという効果が得られる。
さらに、ブザー８と庫内灯７の警告によって使用者が扉閉め忘れを知ることができれば、冷蔵庫内の食品の腐敗を防ぐという効果が得られる。
【００２４】
実施の形態２．
以下、この発明の実施の形態２を図面を参照して説明する。
図４は、実施の形態２における制御動作を示すフローチャートである。
ステップＳ４０で冷蔵室の扉１又は冷凍室（上）の扉２が開いてから一定時間（例えば３分）経過したら、ステップＳ４１でブザー８を「ピィーッ、ピィーッ」と２回鳴らして警告する。さらに一定時間（例えば５分）経過しても扉が開いている場合、ステップＳ４２で扉閉め忘れであると判定して、ブザー８を「ピィーッ、ピィーッ、・・・」と連続して鳴らしながら、庫内灯７を点滅させることによって警告する。ここまでは、実施の形態１と同じである。
【００２５】
この後、ステップＳ４２の警告がさらに一定時間継続した場合、ステップＳ４３でブザー８による警告は続けながら、庫内灯７は消灯する。そして、ステップＳ４３の警告が一定時間（例えば３分間）継続したら、再びステップＳ４２に戻るという制御を繰り返す。つまり、扉閉め忘れであると判断したら、ブザー８を連続して鳴らす警告を続けながら、庫内灯７は一定時間毎に点滅と消灯を繰り返すということである。
【００２６】
上述の実施の形態では、扉閉め忘れ時に、庫内灯７を点滅させるのをやめて完全に消灯し、ブザー８のみで警告する時間を設けているのは、無駄な電力消費と庫内灯７の発生熱による庫内の温度上昇を防止することをねらっている。
庫内灯７の点滅をある程度続けても扉が閉められなかった場合、使用者が冷蔵庫近辺にいないことも考えられ、そのまま点滅を継続しても効果が得られないと予想できる。そこで、この間は扉閉め忘れを使用者に報知するよりも、庫内灯７を消灯して、庫内灯７による無駄な電力消費と、庫内灯７の発生熱による庫内の温度上昇を防止する効果を得ることを優先させたものである。
よって、この実施の形態によって扉閉め忘れの報知と、電力消費と温度上昇の防止をバランス良く行えるという効果が得られる。
【００２７】
実施の形態３．
以下、この発明の実施の形態３を図面を参照して説明する。
図５は、実施の形態３における制御動作を示すフローチャートである。
ステップＳ５０で、冷蔵室の扉１又は冷凍室（上）の扉２が開いてから一定時間（例えば３分）経過したら、ステップＳ５１でブザー８を「ピィーッ、ピィーッ」と２回鳴らして警告する。
さらに一定時間（例えば５分）経過しても扉が開いている場合、ステップＳ５２で扉閉め忘れであると判断するとともに、周囲が暗いと予想できる夜の時間帯であるかを確認する。
ステップＳ５２で周囲が暗い夜であると判断された場合、ステップＳ５３でブザー８を「ピィーッ、ピィーッ、・・・」と連続して鳴らしながら、庫内灯７を点滅させることによって警告する。
【００２８】
ステップＳ５３の警告がさらに一定時間（例えば５分間）継続した場合、ステップＳ５４でブザー８による警告は続けながら、庫内灯７は消灯する。そして、ステップＳ５４の警告が一定時間（例えば３分間）継続したら、再びステップＳ５２に戻るという制御を繰り返す。つまり、周囲が暗い夜の時間の場合は、ブザー８を連続して鳴らす警告を続けながら、庫内灯７は点滅よる警告と消灯を繰り返す制御を行う。
【００２９】
また、ステップＳ５２での確認で周囲が明るいと予想される昼間の時間帯であると判断された場合、ステップＳ５５でブザー８を「ピーッ、ピーッ、・・・」と連続して鳴らしながら警告し、庫内灯７は消灯する。つまり、周囲が明るい時にはブザー８を連続して鳴らす警告のみを行い、庫内灯７は消灯するという制御を行う。
【００３０】
上述の実施の形態では、マイコン５で時間を計測し冷蔵庫の周囲が暗い夜中の時間を把握することが必要である。夜中の時間を把握する時間帯判定手段としては、例えばマイコン５で１日の扉開閉の回数と時間をカウントし、扉開閉の少ない時間帯を夜中であると仮定するものがある。
【００３１】
このように、周囲が暗い夜の時間にのみ庫内灯７点滅による警告を行い、周囲が明るい昼間の時間には庫内灯７を消灯するという制御を行うのは、冷蔵庫の周囲が明るい昼間の時間帯に庫内灯７を点滅させても、光が目立ちにくく、それ程効果が得られないからであり、この時には電力消費と温度上昇を優先して防止するためである。逆に周囲が暗い夜の時間には庫内灯７の点滅による警告の効果が得られると考えられるから、実施の形態２と同様の制御を行い、扉閉め忘れ報知と無駄な電力消費防止をねらっている。
【００３２】
実施の形態４．
以下、この発明の実施の形態４を図面を参照して説明する。
実施の形態３では周囲が暗いか明るいかは、マイコン５で時間と扉開閉回数をカウントすること判定したのに対し、実施の形態４では、例えば図１中のヒンジカバー９などに時間帯判定手段として光センサの様な素子を取り付けて、周囲の明るさを検知して判定する。
図６は、実施の形態４における制御動作を示すフローチャートである。
ステップＳ６０で、冷蔵室の扉１又は冷凍室（上）の扉２が開いてから一定時間（例えば３分）経過したら、ステップＳ６１でブザー８を「ピィーッ、ピィーッ」と２回鳴らして警告する。
【００３３】
さらに一定時間（例えば５分）経過しても扉が開いている場合、ステップＳ６２で周囲の明るさを確認する。ステップＳ６２で周囲が暗いとわかった時には、ステップＳ６３、６４と進み、ブザー８を連続して鳴らす警告を続けながら、庫内灯７は一定時間毎に点滅と消灯を繰り返す、実施の形態２と同じ警告を行う。
また、ステップＳ６２で周囲が明るいとわかった時は、ステップＳ６５でブザー８を「ピィーッ、ピィーッ、・・・」と連続して鳴らして警告しながら、庫内灯７を消灯する制御を行う。
【００３４】
この実施の形態では、冷蔵庫の周囲の明るさを検知しているので、先述の制御を実行中に周囲の明るさが変化した時の制御を組み込む必要がある。そこで、周囲が暗いと判断した場合の制御中では、ステップＳ６３、６４が終了した後にステップＳ６２に戻って明るさを確認して制御を補正する。次に、周囲が明るいと判断した場合の制御中では、ステップＳ６５の警告を８分継続したらステップＳ６２に戻り、明るさを確認して制御を補正する。
【００３５】
この実施の形態４と実施の形態３との違いは、周囲が明るいか暗いかの検知方法である。実施の形態３ではマイコン５による時間と扉開閉回数のカウントにより、周囲が暗い夜の時間を予測していたが、実施の形態４では光センサなどで確実に冷蔵庫周辺の明るさを把握できるから、実施の形態３で解決しようとしている問題をより確実に解決でき、扉閉め忘れの報知、無駄な電力消費の防止、庫内の温度上昇の防止、食品の腐敗防止の効果が得られる。
【００３６】
実施の形態５．
以下、この発明の実施の形態５を図面を参照して説明する。
図７は実施の形態５を示す冷蔵庫の外形図である。図において、３０は図１に示す様な冷蔵庫、３１、３２、３３は反射板、３４は扉である。冷蔵庫３０の扉開口部付近に、反射板３１、３２、３３のうちいずれかか、またはいくつかを設け、半開きとなった扉３４から漏れる光を有効的に冷蔵庫外に取り出して、使用者に警告するというものである。
また、この実施の形態と実施の形態１から４のいずれかを組み合わせると効果的である。
【００３７】
この反射板により、庫内灯７の光をより多く庫外に出すことができるので、使用者に扉３４が開いていることを知らせやすくする効果が得られる。
また、本実施の形態と実施の形態１から４のいずれかとを組み合わせて、点滅する庫内灯７の光を反射させると、反射板で反射させる効果は、点滅する光に限定されるのではなく、点滅していない庫内灯７の光でも、通常より使用者に警告できるという効果が得られる。
【００３８】
図７では、反射板の例として３１、３２、３３の３種類を挙げたが、この大きさ、形状、材質、設置箇所は任意のものが選べる。つまり、反射板３１は反射板３２のように一部分でもかまわないし、その材質はアルミテープのようなものでもかまわない。
【００３９】
実施の形態６．
以下、この発明の実施の形態６を図面を参照して説明する。
図８は実施の形態５を示す冷蔵庫の外形図である。図において、３５は図１に示すような冷蔵庫、３６は反射版、３７は扉、３８は冷蔵庫３５と扉３７を密着させるガスケットである。
冷蔵庫使用者が扉を閉め忘れた時に、庫内灯７の光を反射板３６で反射させて庫外に取り出しやすくし、使用者に警告するというものである。
また、扉が閉まってから数秒間（例えば１秒間）は庫内灯７を点灯し、その後庫内灯７を消灯するという制御をもりこむ。これにより、ガスケット３８が破損していたり、または、扉にビニール袋などが挟まっていて隙間があくなどしていた場合、反射板３６で反射する庫内灯７の光が、ガスケット３８の破損部や隙間からもれることで、ガスケット３８の破損やビニール袋が挟まっていることを知ることもできる。
【００４０】
この実施の形態に、実施の形態１から５のいずれかを組み合わせると効果的であある。このことにより、実施の形態１から５で解決しようとする、扉閉め忘れの報知、無駄な電力消費の防止、庫内の温度上昇の防止、庫外への庫内灯の光の取り出し等の効果もあわせて得られる。
【００４１】
【発明の効果】
この発明に係る冷蔵庫は、制御手段が扉開閉検知手段が扉が開いたことを検知した直後の一定時間経過後は警告音発生手段のみで警告し、さらに一定時間経過してからは、警告音発生手段による警告に加えて庫内灯駆動回路により庫内灯点滅による警告も開始するので、扉閉め忘れの情報を、従来の様に耳からだけでなく、目からも得ることが可能になるので、使用者が気付くチャンスが大幅に増え、長時間にわたる扉の開放が防げるという効果が得られる。これにより、食品の腐敗も防ぐことができる。また、意識的な扉の開放時に不要な庫内灯の点滅を防ぐ効果が得られる。
【００４３】
また、制御手段は、扉を閉め忘れた場合の警告音発生手段と庫内灯点滅とによる警告が長時間にわたる場合、庫内灯を消灯する時間を設けたので、無駄な電力消費を防止する効果が得られる。
【００４４】
また、制御手段は、一日の時間帯を判定する時間帯判定手段を備え、冷蔵庫本体の周囲が暗い時間帯に扉閉め忘れがおきれば、警告音発生手段と庫内灯点滅とで警告し、周囲が明るい時間帯に扉閉め忘れがおきれば、庫内灯を消灯するので、扉閉め忘れの警告の強化と、無駄な電力消費の一層の防止という効果が得られる。
【００４５】
また、時間帯判定手段は、マイコンにより扉の開閉回数と時間とをカウントし時間帯を判定するので、時間帯判定のための特別な部品は不要である。
【００４６】
また、時間帯判定手段は、光センサ等の素子を用いて時間帯を判定するので、冷蔵庫の周囲環境に応じてさらに的確な制御を行えるという効果が得られる。
【００４７】
また、扉を有する冷蔵庫本体と、本体内部の庫内を照明する庫内灯と、扉により閉塞される本体開口部周囲に設けられ、扉が半開きの場合に、庫内灯の光を外に出して使用者に警告するための反射板とを備えた構成にしたので小さな角度でもれてくる微量な光を、広域に反射させることができるから、使用者に扉が開いていることを警告する効果が得られる。
【００４８】
また、請求項１〜３の何れかに記載の冷蔵庫において、扉により閉塞される本体開口部周囲に、扉が半開きの場合に、庫内灯の光を外に出して使用者に警告するための反射板を備えた構成にしたので、庫内灯の点滅による警告を、反射板を取り付けることと組み合わせることで、より大きな警告効果が得られる。
【００４９】
また、扉を有する冷蔵庫本体と、本体内部の庫内を照明する庫内灯と、扉により閉塞される本体開口部周囲全体に設けられ、庫内灯の光を外に出して使用者に警告するための反射板と、扉が閉まってから所定時間前記庫内灯を点灯し、その後消灯させ、扉と冷蔵庫本体との隙間を検知するための制御手段とを備えた構成にしたので、扉と冷蔵庫本体との隙間検知を行うことができる。
【００５０】
また、請求項１〜３の何れかに記載の冷蔵庫において、扉により閉塞される本体開口部周囲全体に設けられ、庫内灯の光を外に出して使用者に警告するための反射板と、扉が閉まってから所定時間前記庫内灯を点灯し、その後消灯させ、扉と冷蔵庫本体との隙間を検知するための別の制御手段と備えた構成にしたので、庫内灯の点滅によるさらなる警告効果を期待できる。
【図面の簡単な説明】
【図１】  この発明の実施の形態１における冷蔵庫の外形図である。
【図２】  実施の形態１における庫内灯周辺制御回路のブロック図である。
【図３】  実施の形態１における制御のフローチャート図である。
【図４】  実施の形態２における制御のフローチャート図である。
【図５】  実施の形態３における制御のフローチャート図である。
【図６】  実施の形態４における制御のフローチャート図である。
【図７】  実施の形態５を示す冷蔵庫の外形図である。
【図８】  実施の形態６を示す冷蔵庫の外形図である。
【図９】  従来の冷蔵庫の外形図である。
【図１０】  従来の冷蔵庫の庫内灯周辺制御回路ブロック図である。
【図１１】  従来の冷蔵庫の制御のフローチャート図である。
【符号の説明】
１  冷蔵室の扉、２  冷凍室（上）の扉、３  冷蔵室ドアＳＷ、４  冷凍室（上）ドアＳＷ、５  マイコン（マイクロコンピュータ）、６  庫内灯駆動回路、７  庫内灯、８  ブザー、９  ヒンジカバー、３０  冷蔵庫、３１〜３３  反射板、３４  扉、３５  冷蔵庫、３６  反射板、３７  扉、３８  ガスケット。
【図１】
0003775931.tif 000002
【図２】
0003775931.tif 000003
【図３】
0003775931.tif 000004
【図４】
0003775931.tif 000005
【図５】
0003775931.tif 000006
【図６】
0003775931.tif 000007
【図７】
0003775931.tif 000008
【図８】
0003775931.tif 000009
【図９】
0003775931.tif 000010
【図１０】
0003775931.tif 000011
【図１１】
0003775931.tif 000012